(57)【要約】【課題】安全規格を確保しつつ、明るい画像表示装置及び照明装置を提供する。【解決手段】画像表示装置は、投写光２２を用いて画像を表示する画像表示装置であって、投写光２２の光源１６と、第１認識手段１４と投写光２２が通過する開口部２６とを有し、投写光２２の出射口部２４の前面に投写光２２を覆うように配設された安全カバー部材１０と、第１認識手段１４に対応して形成された第２認識手段１８と、第２認識手段１８からの信号により安全カバー部材１０の状態を認識し、安全カバー部材１０が所定の状態に配設された場合に光源１６から所定の光量で発光させる制御部２０と、を含む。【選択図】図１
2008192478.tif 000002
【特許請求の範囲】
【請求項１】
投写光を用いて画像を表示する画像表示装置であって、
前記投写光の光源と、
第１認識手段と前記投写光が通過する開口部とを有し、前記投写光の出射口部の前面に前記投写光を覆うように配設された安全カバー部材と、
前記第１認識手段に対応して形成された第２認識手段と、
前記第２認識手段からの信号により前記安全カバー部材の状態を認識し、前記安全カバー部材が所定の状態に配設された場合に前記光源から所定の光量で発光させる制御部と、
を含むことを特徴とする画像表示装置。
【請求項２】
請求項１に記載の画像表示装置において、
前記安全カバー部材は、前記出射口部の前面から着脱可能であることを特徴とする画像表示装置。
【請求項３】
請求項１又は請求項２に記載の画像表示装置において、
前記第１認識手段は、磁性チップで構成され、
前記第２認識手段は、磁気センサで構成されていることを特徴とする画像表示装置。
【請求項４】
請求項１〜請求項３のいずれか一項に記載の画像表示装置において、
前記第１及び第２認識手段は、電気的認識回路で構成されていることを特徴とする画像表示装置。
【請求項５】
請求項１〜請求項４のいずれか一項に記載の画像表示装置において、
前記第１及び第２認識手段は、非接触式ＩＤ検出回路で構成されていることを特徴とする画像表示装置。
【請求項６】
請求項４に記載の画像表示装置において、
前記電気的認識回路は、ロジック回路で構成されていることを特徴とする画像表示装置。
【請求項７】
請求項３に記載の画像表示装置において、
前記磁気センサは、前記安全カバー部材が所定の状態に配設されないと前記安全カバー部材の配設の検出ができないことを特徴とする画像表示装置。
【請求項８】
請求項１〜請求項７のいずれか一項に記載の画像表示装置において、
前記安全カバー部材の前記開口部の開口面積は、前記出射口部の開口面積より大きいことを特徴とする画像表示装置。
【請求項９】
請求項１〜請求項８のいずれか一項に記載の画像表示装置において、
前記安全カバー部材の少なくとも一部は透明部材で形成されていることを特徴とする画像表示装置。
【請求項１０】
請求項１〜請求項９のいずれか一項に記載の画像表示装置において、
前記制御部は、前記安全カバー部材が配設されたことの信号が検出できない場合は、前記光源を所定の光量より低い光量で発光させることを特徴とする画像表示装置。
【請求項１１】
請求項１〜請求項１０のいずれか一項に記載の画像表示装置において、
前記安全カバー部材は前記画像表示装置に収納可能であることを特徴とする画像表示装置。
【請求項１２】
照明光を照射する照明装置であって、
前記照明光の光源と、
第１認識手段と前記照明光が通過する開口部とを有し、前記照明光の出射口部の前面に前記照明光を覆うように配設された安全カバー部材と、
前記第１認識手段に対応して形成された第２認識手段と、
前記第２認識手段からの信号により前記安全カバー部材の状態を認識し、前記安全カバー部材が所定の状態に配設された場合に前記光源から所定の光量で発光させる制御部と、
を含むことを特徴とする照明装置。
【発明の詳細な説明】
【技術分野】
【０００１】
本発明は、画像表示装置及び照明装置に関するものである。
【背景技術】
【０００２】
従来、プロジェクタ等の画像表示装置用照明光源として超高圧水銀ランプ（ＵＨＰ）が用いられているが、照明色温度の制約、間歇点灯の不可、及び短寿命等について課題がある。そこで、それらを克服するレーザ光源を用いたモニタ装置が提案されている。
【０００３】
一方、レーザ光源は単位面積当たりの光線強度について安全規格が設けられおり、レーザ光源を用いたプロジェクタの照度を定めるうえで、観察者が最大限近づける範囲における単位面積当たりの光線強度が限定条件となっている。又、安全確保のため危険領域への人体侵入検知等の監視装置が提案されている（例えば、特許文献１参照）。
【０００４】
【特許文献１】特開２００３−２６９９１５号公報
【発明の開示】
【発明が解決しようとする課題】
【０００５】
そこで、レーザ機器の安全確保のため、単位面積当たりの光線強度を一定レベル以下にする必要がある。一定レベル以下の光線強度になるまで筐体を広げると、レーザ機器が大きくなり運搬が不便となる。又、投影領域に対し観察者が侵入した場合において、光源を消灯するものもあるが、所望の照度を確保しつつ安全を確保することは困難である。
【０００６】
本発明は、このような従来の問題点に着目してなされたもので、その目的は、安全規格を確保しつつ、明るい画像表示装置及び照明装置を提供することにある。
【課題を解決するための手段】
【０００７】
（１）本発明に係る画像表示装置は、投写光を用いて画像を表示する画像表示装置であって、前記投写光の光源と、第１認識手段と前記投写光が通過する開口部とを有し、前記投写光の出射口部の前面に前記投写光を覆うように配設された安全カバー部材と、前記第１認識手段に対応して形成された第２認識手段と、前記第２認識手段からの信号により前記安全カバー部材の状態を認識し、前記安全カバー部材が所定の状態に配設された場合に前記光源から所定の光量で発光させる制御部と、を含む。
【０００８】
本発明によれば、安全カバー部材が所定の状態に配設されていないと、光源が所定の光量で発光しないため、観察者が光線密度の高い領域に近づけないことから、安全規格を確保しつつ、明るい画像表示装置を提供できる。
【０００９】
（２）この画像表示装置において、前記安全カバー部材は、前記出射口部の前面から着脱可能であってもよい。これによれば、運搬時及び収納時のスペースの確保が容易になる。
【００１０】
（３）この画像表示装置において、前記第１認識手段は、磁性チップで構成され、前記第２認識手段は、磁気センサで構成されてもよい。これによれば、認識手段の構成が容易になる。
【００１１】
（４）この画像表示装置において、前記第１及び第２認識手段は、電気的認識回路で構成されてもよい。これによれば、誤検出の回避が容易になる。
【００１２】
（５）この画像表示装置において、前記第１及び第２認識手段は、非接触式ＩＤ検出回路で構成されてもよい。これによれば、所定の安全カバー部材の確認が容易になる。
【００１３】
（６）この画像表示装置において、前記電気的認識回路は、ロジック回路で構成されてもよい。これによれば、より誤検出の回避が容易になる。
【００１４】
（７）この画像表示装置において、前記磁気センサは、前記安全カバー部材が所定の状態に配設されないと前記安全カバー部材の配設の検出ができなくてもよい。これによれば、誤検出の回避が容易になる。
【００１５】
（８）この画像表示装置において、前記安全カバー部材の前記開口部の開口面積は、前記出射口部の開口面積より大きくてもよい。これによれば、レーザ光のエネルギー密度を下げることが容易になる。
【００１６】
（９）この画像表示装置において、前記安全カバー部材の少なくとも一部は透明部材で形成されてもよい。これによれば、圧迫感のない構成で安全を確保することが容易になる。
【００１７】
（１０）この画像表示装置において、前記制御部は、前記安全カバー部材が配設されたことの信号が検出できない場合は、前記光源を所定の光量より低い光量で発光させてもよい。これによれば、使い勝手を考慮しつつ安全を確保することが容易になる。
【００１８】
（１１）この画像表示装置において、前記安全カバー部材は前記画像表示装置に収納可能であってもよい。これによれば、運搬時及び収納時のスペースの確保が更に容易になる。
【００１９】
（１２）本発明に係る照明装置は、照明光を照射する照明装置であって、前記照明光の光源と、第１認識手段と前記照明光が通過する開口部とを有し、前記照明光の出射口部の前面に前記照明光を覆うように配設された安全カバー部材と、前記第１認識手段に対応して形成された第２認識手段と、前記第２認識手段からの信号により前記安全カバー部材の状態を認識し、前記安全カバー部材が所定の状態に配設された場合に前記光源から所定の光量で発光させる制御部と、を含む。
【００２０】
本発明によれば、安全カバー部材が所定の状態に配設されていないと、光源が所定の光量で発光しないため、観察者が光線密度の高い領域に近づけないことから、安全規格を確保しつつ、明るい照明装置を提供できる。
【発明を実施するための最良の形態】
【００２１】
以下、本発明の実施の形態について図面を参照して説明する。
【００２２】
本実施の形態は、本発明に係る光源を、レーザ（ＬＤ）光源に適用した例である。又、本実施の形態は、本発明に係る画像表示装置をプロジェクタに適用した例である。
【００２３】
（第１の実施の形態）
図１は、本発明の第１の実施の形態に係るプロジェクタを示す図である。本実施の形態に係るプロジェクタ２は、安全カバー部材１０と、プロジェクタ本体１２と、を備える。安全カバー部材１０は、第１認識手段１４を備える。プロジェクタ本体１２は、ＬＤ光源１６と、第２認識手段１８と、制御部２０と、を備える。
【００２４】
ＬＤ光源１６は、そこから発光した光を照明光として照射する照明装置（図示せず）に含まれ、プロジェクタ本体１２は、照明装置からの照明光を液晶パネル（図示せず）などで変調した投写光２２を用いて画像を表示する。尚、照明光の変調手段はミラーデバイスなどでもよい。又、プロジェクタ本体１２はＬＤ光源１６から発するレーザ光を走査することによって画像を表示するものでもよい。
【００２５】
第１認識手段１４は、安全カバー部材１０に埋め込まれている。
【００２６】
第２認識手段１８は、プロジェクタ本体１２に安全カバー部材１０を配設した時、安全カバー部材１０と接近或いは接触する面側のプロジェクタ本体１２に形成されている。具体的には、第２認識手段１８は、投写光２２の出射口部２４に隣接して形成されている。第２認識手段１８は、安全カバー部材１０が所定の状態に配設されると、安全カバー部材１０に埋め込まれている第１認識手段１４を検出する。即ち、第２認識手段１８は、安全カバー部材１０が所定の状態に配設されないときは、第１認識手段１４を検出しない。そして、第２認識手段１８は、第１認識手段１４の検出状態を示す信号を出力する。
【００２７】
制御部２０は、第２認識手段１８からの信号により安全カバー部材１０の状態を認識する。制御部２０は、安全カバー部材１０が所定の状態に配設されたと認識した場合、ＬＤ光源１６を所定の光量で発光させる。制御部２０は、安全カバー部材１０が所定の状態に配設されていないと認識した場合、ＬＤ光源１６を発光させない。尚、この場合、ＬＤ光源１６を所定の光量より低い光量で発光させてもよい。
【００２８】
安全カバー部材１０は、プロジェクタ本体１２の外周部に配設されている。具体的には、安全カバー部材１０は、プロジェクタ本体１２の投写光２２が射出される出射口部２４の前面に、投写光２２を覆うように配設されている。尚、安全カバー部材１０は、プロジェクタ本体１２に嵌合部を用いて配設されていてもよい。
【００２９】
ここで、安全カバー部材１０は、プロジェクタ本体１２から着脱可能であってもよい。その場合、図１（Ｂ）に示すように、安全カバー部材１０は、プロジェクタ本体１２の外側に被さるように収納され、使用時には安全カバー部材１０は、図１（Ａ）に示すように、プロジェクタ本体１２の外側から外され、プロジェクタ本体１２に配設される。一方、安全カバー部材１０は蛇腹状或いは伸縮可能な形状のものであって、プロジェクタ２を使用しないとき、プロジェクタ本体１２に収納されてもよい。これにより、使用するときには、広げて或いは引き伸ばして使用し、使用しないときには、閉じる或いはたたむことで、持ち運び時、プロジェクタ２をコンパクトにすることができる。尚、安全カバー部材１０は、少なくとも一部が透明部材で形成されていてもよい。
【００３０】
図２は、本発明の第１の実施の形態に係る安全カバー部材を示す図である。安全カバー部材１０は、第１認識手段１４を含む。第１認識手段１４は、安全カバー部材１０に埋め込まれている。第１認識手段１４は、第２認識手段１８に対向している。安全カバー部材１０がプロジェクタ本体１２に配設された時、プロジェクタ本体１２の第２認識手段１８と対向するように形成されている第１認識手段１４は、第２認識手段１８に検出される。
【００３１】
安全カバー部材１０は、開口部２６を含んでいる。開口部２６は、投写光２２が通過する。開口部２６の投写光２２が射出される側の開口面積は、投写光２２の出射口部２４の開口面積より大きくてもよい。
【００３２】
図３及び図４は、本発明の第１の実施の形態に係る第１及び第２の認識手段を示す図である。図３（Ａ）に示すように、プロジェクタ本体１２に設けられた第２認識手段１８と安全カバー部材１０に設けられた第１認識手段１４とが近づく或いは接触することにより、第２認識手段１８が第１認識手段１４を検出する。第２認識手段１８は検出結果を制御部２０へ送る。制御部２０は、安全カバー部材１０がプロジェクタ本体１２に装着されたことを認識する。正常に安全カバー部材１０がプロジェクタ本体１２に取り付けられていると制御部２０で認識した場合、制御部２０は、ＬＤ光源１６を所定の光量で発光させる。
【００３３】
尚、第１及び第２認識手段１４，１８は、接触型であってもよい。第１及び第２認識手段１４，１８は、電気的認識回路で構成されていてもよい。電気的認識回路は、ロジック回路で構成されていてもよい。例えば、図３（Ｂ）に示すように、第２認識手段１８は、カバー検知回路２８を含む接点部Ｐ３０であり、第１認識手段１４は、ＩＤが設定されたＩＣを含む接点部Ｃ３２である。接点部Ｐ３０と接点部Ｃ３２とが接触することにより、ＩＣに電流が流れカバー検知回路２８でＩＤを読み取ることができる。
【００３４】
又、第１及び第２認識手段１４，１８は、非接触型であってもよい。第１及び第２認識手段１４，１８は、電気的認識回路で構成されていてもよい。電気的認識回路は、ロジック回路で構成されていてもよい。例えば、図３（Ｃ）に示すように、第２認識手段１８は、カバー検知回路３４を含むアンテナＰ３６であり、第１認識手段１４は、ＩＤが設定されたＩＣを含むアンテナＣ３８である。アンテナＰ３６とアンテナＣ３８とが接近することにより、誘導電力通信でＩＣに電流が流れアンテナＰ３６とアンテナＣ３８との間で通信が行われ、カバー検知回路３４でＩＤを読み取ることができる。第２認識手段１８は、非接触式ＩＤ検出回路で構成されていてもよい。
【００３５】
又、第２認識手段１８は、磁気センサで構成されていてもよい。第１認識手段１４は、磁性チップで構成されていてもよい。例えば、図４（Ａ）に示すように、第２認識手段１８は、マグネットセンサ４０であり、第１認識手段１４は、マグネット４２である。マグネットセンサ４０とマグネット４２とが近づくことによりマグネットセンサ４０でマグネット４２を検出することができる。さらに、図４（Ｂ）に示すように、複数のマグネットセンサ４０と複数のマグネット４２とを用い、複数のマグネットセンサ４０は、図４（Ｃ）に示すように、Ａ接点とＢ接点との組み合わせにすることで誤検出を回避することができる。
【００３６】
図５は、本発明の第１の実施の形態に係るプロジェクタの構成を示すブロック図である。制御部２０は、第２認識手段１８と接続され、第２認識手段１８からの信号により安全カバー部材１０の状態を認識し、ＬＤ光源制御部４４に制御信号を出力する。制御部２０は、第２認識手段１８からの信号により安全カバー部材１０の状態を認識し、安全カバー部材１０が所定の状態に配設されたと認識した場合には、正常表示部４６に正常であることを表示し、ＬＤ光源制御部４４にＬＤ光源１６を所定の光量で発光させる制御信号を出力する。
【００３７】
又、安全カバー部材１０が所定の状態に配設されていないと認識した場合には、異常表示部４８に異常であることを表示し、ＬＤ光源制御部４４にＬＤ光源１６を発光させる制御信号は出力しない。尚、ＬＤ光源制御部４４にＬＤ光源１６を所定の光量より低い光量で発光させる制御信号を出力するようにしてもよい。制御部２０は、操作スイッチによりＯＮ／ＯＦＦされる。制御部２０は、本体カバーの開閉状態、本体温度状態、及びＬＤ光源制御部４４の状態を監視している。
【００３８】
ＬＤ光源制御部４４は、駆動部５０と接続され、制御部２０からの制御信号を受け、駆動部５０に駆動信号を出力する。ＬＤ光源制御部４４は、異常信号を制御部２０へ出力する。
【００３９】
駆動部５０は、ＬＤ光源１６と接続され、ＬＤ光源制御部４４からの駆動信号を受け、駆動電源によりＬＤ光源１６を発光させる。
【００４０】
図６は、本発明の第１の実施の形態に係るプロジェクタの制御方法のフローチャート図である。
まず、制御部２０は、安全カバー部材１０がプロジェクタ本体１２に配設されたかインターロックチェックを行う（ステップＳ１００）。制御部２０は、本体カバーの開閉状態、本体温度状態、及びＬＤ光源制御部４４の状態について監視する。
【００４１】
次に、これらの監視に基づき、安全カバー部材１０が所定の状態に配設され、本体カバーの開閉状態、本体温度状態、及びＬＤ光源制御部４４の状態がそれぞれ正常状態であるか認識（判定）する（ステップＳ１１０）。
【００４２】
上記判定の結果、安全カバー部材１０が所定の状態に配設され、本体カバーの開閉状態、本体温度状態、及びＬＤ光源制御部４４の状態がそれぞれ正常状態であると判定した場合には（ステップＳ１１０：Ｙｅｓ）、制御部２０は、正常表示部４６に正常であることを表示する（ステップＳ１２０）。
【００４３】
次に、制御部２０は、ＬＤ光源１６を所定の光量で発光させる（ステップＳ１３０）。具体的には、制御部２０は、ＬＤ光源１６を所定の光量で発光させるようにＬＤ光源制御部４４を制御信号により制御する。ＬＤ光源制御部４４は、ＬＤ光源１６を所定の光量で発光させるように駆動部５０を駆動信号により駆動し、ＬＤ光源１６を所定の光量で発光させる。そして、この処理を終了する。以降、ＬＤ光源１６より所定の光量が発光される。
【００４４】
上記ステップＳ１１０において、判定の結果、安全カバー部材１０が所定の状態に配設されていない場合、或いは、本体カバーの開閉状態、本体温度状態、及びＬＤ光源制御部４４の状態のうち少なくともひとつが正常に動作していないと判定した場合には（ステップＳ１１０：Ｎｏ）、制御部２０は、異常表示部４８に異常であることを表示する（ステップＳ１４０）。そして、制御部２０は、ＬＤ光源１６を発光させないで、この処理を終了する。尚、異常表示の場合、ＬＤ光源１６は、所定の光量より低いパワーで発光してもよい。具体的には、制御部２０は、ＬＤ光源１６を所定の光量より低い光量で発光させるようにＬＤ光源制御部４４を制御信号により制御する。ＬＤ光源制御部４４は、ＬＤ光源１６を所定の光量より低い光量で発光させるように駆動部５０を駆動信号により駆動し、ＬＤ光源１６を所定の光量より低い光量で発光させる。そして、この処理を終了する。以降、ＬＤ光源１６より所定の光量より低い光量が発光される。
【００４５】
図７は、本発明の第１の実施の形態に係る出射口から離れた状態でのエネルギー密度を示す図である。プロジェクタ２の投写光２２の広がり角度θは、出射口部２４の投写レンズのＦ値よりθ＝ｔａｎ-1（１／２Ｆ）で求まる。ここで、出射口部２４の開口の口径寸法をｄとした場合、出射口部２４より光路長Ｌの距離離れた投写光２２の断面の径寸法は、Ｄ＝ｄ＋２（ｔａｎθ・Ｌ）となり、その面積は、Ａ＝π（（ｄ＋２（ｔａｎθ・Ｌ））／２）2となる。これより、出射口部２４より光路長Ｌの距離離れた投写光２２の断面積Ａは、投写レンズのＦ値と出射口部２４からの距離の二乗に比例するというエネルギー密度が定義される。つまり、規定値以内のエネルギー密度が出射口部２４より光路長Ｌの距離離れた投写光２２である場合、出射口部２４より光路長Ｌの距離の部分の投写光２２を観察者から見えないように規制することで、明るいプロジェクタ２であっても安全を確保できるようになる。図７（Ｂ）及び図７（Ｃ）に示すように、安全カバー部材１０の開口部２６の投写光２２が射出される側の開口面積Ａは、プロジェクタ２の出射口部２４の開口面積ａより大きい。尚、本実施の形態では、プロジェクタ２である画像表示装置に関して説明したが、これを照明装置に適用してもよい。又、本実施の形態では、照明光をレーザ光として説明したが、これを従来のＵＨＰに適用してもよい。
【００４６】
（第２の実施の形態）
図８は、本発明の第２の実施の形態に係る照明装置を示す図である。本実施の形態に係る照明装置４は、照明装置本体５２を含む。照明装置本体５２は、ＬＤ光源１６を含み、ＬＤ光源１６から発光する照明光５４を照射する。照明装置本体５２には、図８（Ｂ）に示すように、照明光５４が射出する出射口部２４の周囲にＣマウントタイプの嵌合部５６が形成されている。嵌合部５６の隣接には、第２認識手段としての複数の磁気センサ５８が設けられている。
【００４７】
本実施の形態に係る照明装置４は、安全カバー部材６０を含む。安全カバー部材６０は、第１認識手段としての複数の磁性チップ６２を含む。安全カバー部材６０の内部には、図８（Ａ）に示すように、折り返しミラー６４が設けられ光路長Ｌが確保されている。図８（Ｃ）に示すように、磁気センサ５８と磁性チップ６２とが近づくことにより、磁気センサ５８が磁性チップ６２を検出する。磁気センサ５８は検出結果を制御部２０へ送る。制御部２０は、安全カバー部材６０が照明装置本体５２に配設されたことを認識する。又、複数の磁気センサ５８と複数の磁性チップ６２とを用いることで、他の磁性体が近づくことによる誤検出を防止することができる。尚、本実施の形態は、照明装置４に関して説明したが、これを画像表示装置に適用してもよい。
【００４８】
（第３の実施の形態）
図９は、本発明の第３の実施の形態に係るプロジェクタを示す図である。本実施の形態に係るプロジェクタ６は、図９（Ａ）に示すように、プロジェクタ本体６６を含む。プロジェクタ本体６６は、図９（Ｃ）に示すように、投写光２２が射出される出射口部２４の周囲にＣマウントタイプの嵌合部６８が形成されている。嵌合部６８の隣接には、第２認識手段としてのＩＤ検出手段７０（図９（Ｂ））が設けられている。
【００４９】
本実施の形態に係るプロジェクタ６は、コーン型の安全カバー部材７２を含む。安全カバー部材７２には、図９（Ｂ）に示すように、第２認識手段としての複数のＩＤ７４が埋め込まれている。プロジェクタ本体６６と安全カバー部材７２とは、嵌合部６８で結合され配設されている。ＩＤ検出手段７０とＩＤ７４とが近づくことにより、ＩＤ検出手段７０がＩＤ７４を検出する。ＩＤ検出手段７０がＩＤ７４を検出することにより、制御部２０は、安全カバー部材７２がプロジェクタ本体６６に配設されたと認識する。安全カバー部材７２により、規定値以内のエネルギー密度が出射口部２４より光路長Ｌの距離離れた投写光２２である場合、図９（Ｃ）に示すように、出射口部２４より光路長Ｌの距離の部分の投写光２２を観察者から見えないように規制することで、明るいプロジェクタ６であっても安全を確保できる。尚、本実施の形態は、プロジェクタ６である画像表示装置に関して説明したが、これを照明装置に適用してもよい。
【００５０】
（第４の実施の形態）
図１０は、本発明の第４の実施の形態に係るプロジェクタを示す図である。図１１及び図１２は、本発明の第４の実施の形態に係る第１及び第２認識手段を示す図である。本実施の形態に係るプロジェクタ８は、図１０に示すように、プロジェクタ本体７６を含む。プロジェクタ本体７６は、図１１に示すように、第２認識手段としての接点部ＡＰ７８及び接点部ＢＰ８０を含む。接点部ＡＰ７８及び接点部ＢＰ８０は、プロジェクタ本体７６に安全カバー部材８２を配設した時、安全カバー部材８２と対向する面に形成されている。接点部ＡＰ７８は、図１２（Ａ）に示すように、ＡＰ１〜ＡＰ６の接点で構成されている。接点部ＢＰ８０は、図１２（Ｃ）に示すように、ＢＰ１〜ＢＰ６の接点で構成されている。
【００５１】
本実施の形態に係るプロジェクタ８は、安全カバー部材８２を含む。安全カバー部材８２は、プロジェクタ本体７６の片側に収納可能である。安全カバー部材８２は、Ｕ字溝の形状である。安全カバー部材８２は、長手方向と直交する断面がＵ字である。
【００５２】
安全カバー部材８２は、図１１に示すように、第２認識手段としての接点部ＡＣ８４及び接点部ＢＣ８６を含む。接点部ＡＣ８４及び接点部ＢＣ８６は、安全カバー部材８２がプロジェクタ本体７６に配設された時、プロジェクタ本体７６の接点部ＡＰ７８と対向するように接点部ＡＣ８４、接点部ＢＰ８０と対抗するように接点部ＢＣ８６が形成されている。
【００５３】
接点部ＡＣ８４は、図１２（Ｂ）に示すように、ＡＣ１〜ＡＣ６の接点が接点部ＡＰ７８のＡＰ１〜ＡＰ６の接点に対向するように構成されている。ＡＣ１〜ＡＣ６の接点は、安全カバー部材８２側で配線をクロスさせておく。具体的には、ＡＣ１−ＡＣ６、ＡＣ２−ＡＣ５、及びＡＣ３−ＡＣ４を結線する。これにより、接点部ＡＰ７８と接点部ＡＣ８４とが接触した場合、プロジェクタ本体７６側からみた接点の繋がり方は、ＡＰ１−ＡＣ１−ＡＣ６−ＡＰ６、ＡＰ２−ＡＣ２−ＡＣ５−ＡＰ５、及びＡＰ３−ＡＣ３−ＡＣ４−ＡＰ４となる。
【００５４】
接点部ＢＣ８６は、図１２（Ｄ）に示すように、ＢＣ１〜ＢＣ６の接点が接点部ＢＰ８０のＢＰ１〜ＢＰ６の接点に対向するように構成されている。ＢＣ１〜ＢＣ６の接点は、安全カバー部材８２側で配線をクロスさせておく。具体的には、ＢＣ１−ＢＣ５及びＢＣ２−ＢＣ４を結線する。これにより、接点部ＢＰ８０と接点部ＢＣ８６とが接触した場合、プロジェクタ本体７６側からみた接点の繋がり方は、ＢＰ１−ＢＣ１−ＢＣ５−ＢＰ５、ＢＰ２−ＢＣ２−ＢＣ４−ＢＰ４、ＢＰ３−ＢＣ３、及びＢＰ６−ＢＣ６となる。これにより、コストが安く、単純に接点部をショートしても回路が成立しない誤作動の少ない第１及び第２認識手段ができる。更に、図１３のような回路と組み合わせることで論理回路が組み立てられる。
【００５５】
図１３は、本発明の第４の実施の形態に係る第２認識手段を示すブロック構成図である。本実施の形態では、図１２（Ａ）に示す接点部ＡＰ７８及び図１２（Ｃ）に示す接点部ＢＰ８０、並びに図１２（Ｂ）に示す接点部ＡＣ８４及び図１２（Ｄ）に示す接点部ＢＣ８６において、プロジェクタ本体７６側のＡＰ１及びＡＰ３の接点にＨ（ハイ）の信号を、ＢＰ２の接点にＬ（ロー）の信号を入力する。この状態で、安全カバー部材８２がプロジェクタ本体７６に配設されると、接点部ＡＰ７８及び接点部ＡＣ８４、並びに接点部ＢＰ８０及び接点部ＢＣ８６のそれぞれ対向する接点が接触し、制御部２０にＨの信号を出力する。Ｈの信号が入力された制御部２０は、安全カバー部材８２が所定の状態に配設されたと認識し、ＬＤ光源１６を所定の光量で発光させる。具体的には、ＡＰ１の接点のＨの入力信号は、ＡＰ１−ＡＣ１−ＡＣ６−ＡＰ６の各接点を介してＡＰ６の接点にＨの信号として出力される。又、ＡＰ３の接点のＨの入力信号は、ＡＰ３−ＡＣ３−ＡＣ４−ＡＰ４の各接点を介してＡＰ４の接点にＨの信号として出力される。更に、ＢＰ２の接点のＬの入力信号は、ＢＰ２−ＢＣ２−ＢＣ４−ＢＰ４−ＢＰ５−ＢＣ５−ＢＣ１−ＢＰ１−ＡＰ２−ＡＣ２−ＡＣ５−ＡＰ５の各接点を介してＡＰ５の接点にＬの信号として出力される。ＡＰ４及びＡＰ６の接点のＨの出力信号は、ＡＮＤ回路８８に入力されＡＮＤ回路８８はＨの信号として出力される。ＡＰ５の接点のＬの出力信号は、ＮＯＴ回路９０に入力され、ＮＯＴ回路９０はＨの信号を出力する。ＡＮＤ回路８８のＨの出力信号とＮＯＴ回路９０のＨの出力信号は、ＡＮＤ回路９２に入力され、ＡＮＤ回路９２はＨの信号を制御部２０に出力する。Ｈの信号が入力された制御部２０は、ＬＤ光源１６を点灯させる。
【００５６】
本実施の形態によれば、安全カバー部材８２を取り付けることにより観察者が、光線密度の高い領域に近づけないことから、安全規格を確保しつつ、明るいプロジェクタを実現できる。更に、ロック構造を有する。又、安全カバー部材の非装着時には、安全を確保できる弱いパワーでの投写とすることで不慮の場合でも最低限の照明機能を確保できる。尚、本実施の形態は、プロジェクタ８である画像表示装置に関して説明したが、これを照明装置に適用してもよい。
【００５７】
以上、本発明の種々の実施の形態について説明したが、本発明はこのような実施の形態に限定されず、その趣旨を逸脱しない範囲で種々の構成を採ることができることはいうまでもない。
【図面の簡単な説明】
【００５８】
【図１】本発明の第１の実施の形態に係るプロジェクタを示す図である。
【図２】本発明の第１の実施の形態に係る安全かバー部材を示す図である。
【図３】本発明の第１の実施の形態に係る第１及び第２認識手段を示す図である。
【図４】本発明の第１の実施の形態に係る第１及び第２認識手段を示す図である。
【図５】本発明の第１の実施の形態に係るプロジェクタの構成を示すブロック図である。
【図６】本発明の第１の実施の形態に係るプロジェクタの制御方法のフローチャート図である。
【図７】本発明の第１の実施の形態に係る出射口から離れた状態でのエネルギー密度を示す図である。
【図８】本発明の第２の実施の形態に係る照明装置を示す図である。
【図９】本発明の第３の実施の形態に係るプロジェクタを示す図である。
【図１０】本発明の第４の実施の形態に係るプロジェクタを示す図である。
【図１１】本発明の第４の実施の形態に係る第１及び第２認識手段を示す図である。
【図１２】本発明の第４の実施の形態に係る第１及び第２認識手段を示す図である。
【図１３】本発明の第４の実施の形態に係る第２認識手段を示すブロック構成図である。
【符号の説明】
【００５９】
２…プロジェクタ  ４…照明装置  ６…プロジェクタ  ８…プロジェクタ  １０…安全カバー部材  １２…プロジェクタ本体  １４…第１認識手段  １６…ＬＤ光源（光源）  １８…第２認識手段  ２０…制御部  ２２…投写光  ２４…出射口部  ２６…開口部  ２８…カバー検知回路  ３０…接点部Ｐ  ３２…接点部Ｃ  ３４…カバー検知回路  ３６…アンテナＰ  ３８…アンテナＣ  ４０…マグネットセンサ  ４２…マグネット  ４４…ＬＤ光源制御部  ４６…正常表示部  ４８…異常表示部  ５０…駆動部  ５２…照明装置本体  ５４…照明光  ５６…嵌合部  ５８…磁気センサ  ６０…安全カバー部材  ６２…磁性チップ  ６４…折り返しミラー  ６６…プロジェクタ本体  ６８…嵌合部  ７０…ＩＤ検出手段  ７２…安全カバー部材  ７４…ＩＤ  ７６…プロジェクタ本体  ７８…接点部ＡＰ  ８０…接点部ＢＰ  ８２…安全カバー部材  ８４…接点部ＡＣ  ８６…接点部ＢＣ  ８８…ＡＮＤ回路  ９０…ＮＯＴ回路  ９２…ＡＮＤ回路。
【図１】
2008192478.tif 000003
【図２】
2008192478.tif 000004
【図３】
2008192478.tif 000005
【図４】
2008192478.tif 000006
【図５】
2008192478.tif 000007
【図６】
2008192478.tif 000008
【図７】
2008192478.tif 000009
【図８】
2008192478.tif 000010
【図９】
2008192478.tif 000011
【図１０】
2008192478.tif 000012
【図１１】
2008192478.tif 000013
【図１２】
2008192478.tif 000014
【図１３】
2008192478.tif 000015